(57)【特許請求の範囲】
【請求項１】
長手方向と短手方向を有し、縫製や接着による結合部分のない１枚ものの布状物からなり、略中央に設けられる首穴、及び長手方向の一端から長手方向に延出する連結帯を有するチャイルドシート本体と、
前記チャイルドシート本体の長手方向の他端に設けられたスリットに取り付けられ前記連結帯を固定するバックルとを備え、
前記チャイルドシート本体は、裁断と布地のほつれを防止する縫製のみで形成されていることを特徴とするチャイルドシート。
【請求項２】
自動車の３点式シートベルトを挿通するゲートを有する一対のシートベルト挿通用カラビナを備え、
前記一対のシートベルト挿通用カラビナは、前記チャイルドシート本体の一側の前記連結帯よりに設けられ自動車の３点式シートベルトの腰ベルトを挿通する下部カラビナと、
前記チャイルドシート本体の一側において前記下部カラビナより前記首穴よりに設けられ自動車の３点式シートベルトの肩ベルトを挿通する上部カラビナとからなり、
前記下部カラビナ及び上部カラビナは、それぞれ一対のカラビナ挿通用のスリット又は貫通孔に挿通されている請求項１に記載のチャイルドシート。
【請求項３】
前記首穴を幼児の頭に通して前記首穴のところで前記チャイルドシート本体を長手方向の一端側と他端側を合わせるように２つ折りにしたさいに、幼児の腹部の左右両側で前記チャイルドシート本体の長手方向の一端側と他端側を連結する左右一対の側部ベルトと、  幼児の前後方向に対向し、前記側部ベルトを挿通する左右一対ずつの側部スリット又は側部貫通孔と、を備える請求項１、又は請求項２に記載のチャイルドシート。
【発明の詳細な説明】
【技術分野】
【０００１】
この発明は、自動車の三点式シートベルトに連結して、事故時に子どもの安全を確保するためのチャイルドシートに関する。
【背景技術】
【０００２】
従来、着衣型のチャイルドシートが、主に、活発に動くようになった幼児期の子供を対象に用いられている。かかるチャイルドシートは、着用した子供が嫌がらないよう子供の姿勢や動作を拘束しないようにしながら、かつ事故の際には十分に子供の安全性を確保するよう配慮がなされている。
【０００３】
例えば、特許文献１の着衣型チャイルドシートは、肩部を支持する左右一対の縦ベルトと腰部を周回するように設けられ腰骨を支持する腰ベルトと股間に通して股を支持する左右一対の股ベルトとで安全性を確保し、後身ごろと左右一対の縦ベルトの間の広い空間にシートベルトを通すことにより、チャイルドシートを着用した幼児が適度に動くことができるように構成されている。
【先行技術文献】
【特許文献】
【０００４】
【特許文献１】特開２００４−２７６８８０号公報
【発明の概要】
【発明が解決しようとする課題】
【０００５】
しかし、特許文献１の着衣型チャイルドシートは、布や、安全ベルトの点数が多く、製造コストがかさむという問題や、ベルトごとに調節や開閉を行う必要があり着用時に手間がかかるという問題や、またバックルや長さ調整具、縫製箇所などチェックすべき個所が多数にわたり、点検漏れが生じる可能性が高いという問題がある。
本発明は、上記課題に鑑みてなされたものであり、部品点数が少なく、製作コストが安価でかつ着用時に手間がかからず、点検漏れの生じる虞の少ないチャイルドシートの提供を目的とする。
【課題を解決するための手段】
【０００６】
上記課題を解決するためになされた本発明に係るチャイルドシートは、長手方向と短手方向を有し、縫製や接着による結合部分のない１枚ものの布状物からなり、略中央に設けられる首穴、及び長手方向の一端から長手方向に延出する連結帯を有するチャイルドシート本体と、前記チャイルドシート本体の長手方向の他端に設けられたスリットに取り付けられ前記連結帯を固定するバックルとを備え、前記チャイルドシート本体は、裁断と布地のほつれを防止する縫製のみで形成されていることを特徴とする。
【０００７】
このように、チャイルドシート本体を長手方向と短手方向を有する１枚ものの布状物から形成して中央に設けた首穴のところで２つ折りにし長手方向の両端に設けた連結帯とバックルで連結することにより、肩部と腰部と股部をすべて固定することを可能にしながら、部品点数を大きく減らすことができる。
【０００８】
本発明のチャイルドシートは、自動車の３点式シートベルトを挿通するゲートを有する一対のシートベルト挿通用カラビナを備え、前記一対のシートベルトは、前記チャイルドシート本体の一側の前記連結帯よりに設けられ自動車の３点式シートベルトの腰ベルトを挿通する下部カラビナと、  前記チャイルドシート本体の一側において前記下部カラビナより前記首穴よりに設けられ自動車の３点式シートベルトの肩ベルトを挿通する上部カラビナとからなり、前記下部カラビナ及び上部カラビナは、それぞれ一対のカラビナ挿通用のスリット又は貫通孔に挿通されている好ましい。このように、シートベルト挿通用カラビナをシートベルト本体に設けた一対のカラビナ挿通用スリットや一対の貫通孔に取り付けることで、布状物の点数を増やすことなくカラビナを取り付けることができる。
【０００９】
本発明のチャイルドシートは、前記首穴を幼児の頭に通して前記首穴のところで前記チャイルドシート本体を長手方向の一端側と他端側を合わせるように２つ折りにしたさいに、幼児の腹部の左右両側で前記チャイルドシート本体の長手方向の一端側と他端側を連結する左右一対の側部ベルトと、幼児の前後方向に対向し、前記側部ベルトを挿通する左右一対ずつの側部スリット又は側部貫通孔とを備えることが好ましい。こうすることで、幼児の腹部の左右でもチャイルドシート本体の一端側と他端側を連結することができるため、より安定して幼児を保護することができる。
【００１０】
ここで、「布状物」とは、織地や編地、不織布等の布地に限らず、皮、樹脂製シート等の２つ折りにすることが可能な程度に柔軟性を有するシート状物を含むものとし、また「一枚もの」とは、縫製や接着等による結合部分のない一枚の布状物からなることを言い、事故時に力の加わる部分に異なる布状物を連結する部分を有さなければ、ポケットや飾り、裏地、カラビナのカバー等の部材を縫製又は接着した部分のように事故時に力の加わらない部分を有するものも「一枚もの」に含まれるものとする。
【発明の効果】
【００１１】
以上、説明したように本発明のチャイルドシートによれば、部品点数を少なくできるので、製造時のコストを削減できるとともに、着用時の手間を省くことができ、また点検個所を減らして点検漏れを少なくすることができる。
【図面の簡単な説明】
【００１２】
【図１】本発明の一の実施の形態に係るチャイルドシートを広げた状態の外面側を示す正面図である。
【図２】図１に示したチャイルドシートの内面側を示す背面図である。
【図３】図１に示したチャイルドシートの幼児が着用する前の様子を示す斜視図である。
【図４】図１に示したチャイルドシートの幼児が着用した状態を示す斜視図である。
【図５】図１に示したチャイルドシートを２つ折りにしてシートベルトに取り付けた様子を示す背面図である。
【図６】図１に示したバックルを（ａ）表側から見た拡大図、（ｂ）裏側から見た拡大図である。
【発明を実施するための形態】
【００１３】
以下、適宜図面を参照しながら本発明の実施形態について詳述する。図１は、本発明の一の実施の形態に係るチャイルドシート１００を示している。チャイルドシート１００は、一枚もののシームレスな布状物からなるチャイルドシート本体１と、バックル２とを主に備える他、三点式シートベルトの腰ベルトＢ１（図５参照）を挿通してチャイルドシート１００を腰ベルトＢ１に連結する下部カラビナ（シートベルト挿通用カラビナ）３と、三点式シートベルトの肩ベルトＢ２を挿通する上部カラビナ４（シートベルト挿通用カラビナ）とを備えている。
尚、本発明は、以下の実施の形態に限られるものではない。
【００１４】
チャイルドシート本体１は、シートベルトに用いられるポリエステル高強度繊維と同等の強度を有する繊維から織られた一枚ものの織布（布状物）から専用型にて裁断され、図１に示すように、長手方向（図１の上下方向）と短手方向（図１の左右方向）とを有する形状をなしている。チャイルドシート本体１は、略中央に略円形の首穴１１が設けられ、図４に示すように、首穴１１を折り目にして長手方向の両端を重ねるように２つ折りにして幼児に着用させる。この際、幼児の背中側となる長手方向の一端（図１の下端）に長手方向に延出する連結帯１２が設けられている。（以下、長手方向の一端側を後側ともいい、長手方向の他端側を前側ともいい、短手方向を幅方向ともいう。）
【００１５】
チャイルドシート本体１は、４隅に円弧状に切れ込んだ脚挿入部１７ａ，１７ｂを備え、幅方向の両端に、同じく円弧状に切れ込んだ前後各一対の腕挿入部１８ａ，１８ｂを備えている。また、首穴１１の前側には、首を通しやすくするためのスリット１１ａとスリット１１ａの両側をＶ字に開くための折り目１１ｂが設けられている。図示はしないが、チャイルドシート本体１の外周、及び各スリットの周囲には、公知の方法で布地のほつれを防止するための縫製がなされている。尚、チャイルドシート本体１に、ポケットや飾り、裏地を設けたり、後述するカラビナ３，４を外側から覆うようなカバー（不図示）を設けてもよい。
【００１６】
バックル２は、図１に示すように、チャイルドシート本体１の前側端部近傍に設けられる。バックル２は、図６に示すように、方形環２１の中央に１本の支柱２２を設けて一対の長穴２４、２４が形成されている。バックル２の短手方向の両端は、図６（ｂ）に示すように、バックル取着用スリット１５に挿通されたのち背面側に折り返されて、バックル取着用スリット１５間の帯状部分１５ａにかしめ固定されている。チャイルドシート本体１のバックル２より前端側には、連結帯１２をバックル２に通す前に挿通する平行な一対の連結帯挿通用スリット１６，１６が設けられている。尚、本実施形態ではバックル２をチャイルドシート本体１にかしめにより取り付けたが、安全性さえ確保できれば、ボルト・ナットのような公知の方法により取り付けてもよい。
【００１７】
下部カラビナ３は、チャイルドシート本体１の後側の連結帯１２よりにチャイルドシート本体１の長手方向に対向するよう設けられた一対のカラビナ挿通用スリット１３ｂ，１３ｂに挿通するようにして取り付けられ、上部カラビナ４は、首穴１１寄りに設けられたチャイルドシート本体１の幅方向に対向する一対のカラビナ挿通用スリット１３ａ，１３ａに挿通するようにして取り付けられ、図５に示すように、下部カラビナ３は、腰ベルトＢ１を略水平方向に、上部カラビナ４は、肩ベルトＢ２を略上下方向に通すよう設けられている。ただし、下部カラビナ３及び上部カラビナ４は、本実施形態の例に限らず、複数設けることもできるし、チャイルドシート本体１の長手方向又は幅方向に対し傾斜させて取り付けてもよく、カラビナ３，４を取り付けるためにカラビナ挿通用スリット１３ａ、１３ｂに代えて、ハトメを設けた一対の貫通孔に通すようにしてもよい。
【００１８】
チャイルドシート本体１は、腕挿入部１８ａ，１８ｂのやや内側に設けられた側部スリット１４ａ，１４ｂに通した側部ベルト５によりチャイルドシート本体１の前側部分と後側部分とを腹部近傍の側方で連結するよう構成されている。側部ベルト５は、バックル５ａにより輪状に連結される。因みに、図示のバックル５ａは、いわゆるピンバックルである。また、側部スリット１４ａ，１４ｂの代わりにハトメ等を設けた貫通孔（側部貫通孔）を用いて側部ベルト５を取り付けてもよい。
【００１９】
本実施形態に係るチャイルドシート１００を使用する際には、下部カラビナ３のゲート（不図示）を開いて、図５に示したように、三点式シートベルトの腰ベルトＢ１を下部カラビナ３に挿通し、同様に三点式シートベルトの肩ベルトＢ２を上部カラビナ４に挿通したのち、三点式シートベルトのバックルを連結する。次に、図３に示すように、チャイルドシート本体１の前側部分を上方へ広げ、幼児の背中側をシートベルト本体１に重ねるようにして幼児をシートＡに座らせ、図４に示すように、幼児の頭を首穴１１に挿通しながら、チャイルドシート本体１の前側部分を前側に倒す。連結帯１２を一対の連結帯挿通用スリット１６，１６に挿通したのち、バックル２の一対の長穴２４，２４に挿通して固定する。最後に、左右の側部ベルト５，５をバックル５ａ，５ａにより輪状に連結する。
【００２０】
本実施形態のチャイルドシート１００は、シームレスな一枚物の布状物により形成されているため、部品点数、及び縫製箇所が少なく、製造コストを低減でき、縫製箇所の点検も容易である。また、着用時に連結する箇所が少ないため、着用も容易であり、連結したかどうかの点検も容易である。
【００２１】
本発明のチャイルドシートは、上記の実施形態に限らず、例えば、チャイルドシート本体は、シートベルトと同等の強度を有し、事故時に子供の安全を確保できれば特に限定されず、布地を型貫して所定の形状にするのではなく、編み機により所定の形状に編成してもよく、織布や編地に限らず、不織布や樹脂製シート、皮等公知の布状物を適宜に用いることができる。また、連結帯に雌雄のバックルの一方を設け、長手方向の他端側に、他方のバックルを設けるようにしてもよい。その他、十分な接続強度を具備すれば、ピンバックル等公知のバックルを適宜に用いることができる。また、着用したまま車外に出られるようにデザインを工夫することもできる。
【符号の説明】
【００２２】
１００  チャイルドシート
１  チャイルドシート本体
１１  首穴
１２  連結帯
１３ａ  カラビナ挿通用スリット
１３ｂ  カラビナ挿通用スリット
２  バックル
３  下部カラビナ（シートベルト挿通用カラビナ）
４  上部カラビナ（シートベルト挿通用カラビナ）
５  側部ベルト
１４ａ  側部スリット
１４ｂ  側部スリット
【要約】      （修正有）【課題】製造コストが安く、着脱や容易で、連結部や縫製箇所の点検が容易なチャイルドシートの提供。【解決手段】チャイルドシート１００は、自動車のシートベルトを挿通するシートベルト挿通用カラビナを備え、長手方向と短手方向を有する１枚ものの布状物からなり、略中央に設けられる首穴１１、及び、長手方向の一端から長手方向に延出する連結帯１２を有するチャイルドシート本体１と、チャイルドシート本体１の長手方向の他端に設けられ連結帯１２を固定するバックル２とを備える。【選択図】図４【図１】
0005836512.tif 000002
【図２】
0005836512.tif 000003
【図３】
0005836512.tif 000004
【図４】
0005836512.tif 000005
【図５】
0005836512.tif 000006
【図６】
0005836512.tif 000007